(57)【要約】【課題】  コマの欠落を発生させることなく焦点検出を行うこと。【解決手段】  光学系を介した光束の光路中に、互いに異なる第１の開口、第２の開口および第３の開口を選択的に形成可能な切り換え手段と、切り換え手段によって繰り返し第１の開口を形成する時間の間隔において、第２の開口または第３の開口を形成するとともに、繰り返し生じる時間の間隔において、第２の開口と第３の開口とを交互に形成する制御手段と、切り換え手段によって形成された第１の開口から第３の開口の何れかを介した光束を受光する受光手段と、第１の開口を介した光束を受光した際の受光手段の出力に基づいて、画像情報を得る撮像手段と、第２の開口を介した光束を受光した際の受光手段の出力と、第３の開口を介した光束を受光した際の受光手段の出力とに基づいて、光学系の焦点調節状態を検出する焦点検出手段とを備える。【選択図】      図１
2010019921.tif 000002
【特許請求の範囲】
【請求項１】
光学系を介した光束の光路中に、互いに異なる第１の開口、第２の開口および第３の開口を選択的に形成可能な切り換え手段と、
前記切り換え手段によって繰り返し前記第１の開口を形成する時間の間隔において、前記第２の開口または前記第３の開口を形成するとともに、繰り返し生じる前記時間の間隔において、前記第２の開口と前記第３の開口とを交互に形成する制御手段と、
前記切り換え手段によって形成された前記第１の開口から前記第３の開口の何れかを介した前記光束を受光する受光手段と、
前記第１の開口を介した前記光束を受光した際の前記受光手段の出力に基づいて、画像情報を得る撮像手段と、
前記第２の開口を介した前記光束を受光した際の前記受光手段の出力と、前記第３の開口を介した前記光束を受光した際の前記受光手段の出力とに基づいて、前記光学系の焦点調節状態を検出する焦点検出手段と
を備えることを特徴とする撮像装置。
【請求項２】
請求項１に記載の撮像装置において、
前記第２の開口および前記第３の開口は、前記光学系の光軸に垂直な面内において重心位置が互いに異なる一対の開口である
ことを特徴とする撮像装置。
【請求項３】
請求項１または請求項２に記載の撮像装置において、
前記第１の開口を介した前記光束を受光した際の前記受光手段の出力に基づいて、前記光学系による像のコントラストに関する値を検出する焦点評価手段を備える
ことを特徴とする撮像装置。
【請求項４】
請求項３に記載の撮像装置において、
前記焦点検出手段は、前記焦点評価手段により前記像のコントラストに関する値を検出する際の前記受光手段の範囲よりも狭い範囲の前記受光手段の出力に基づいて、前記焦点調節状態を検出する
ことを特徴とする撮像装置。
【請求項５】
請求項３または請求項４に記載の撮像装置において、
前記焦点評価手段は、前記受光手段が前記第２の開口または前記第３の開口を介して前記光束を受光する間に、前記像のコントラストに関する値を演算する
ことを特徴とする撮像装置。
【請求項６】
請求項３から請求項５の何れか１項に記載の撮像装置において、
前記焦点検出手段は、前記受光手段が前記第１の開口を介して前記光束を受光する間に、前記焦点調節状態を演算する
ことを特徴とする撮像装置。
【請求項７】
請求項１から請求項６の何れか１項に記載の撮像装置において、
前記受光手段の出力を増幅するとともに、前記第２の開口または前記第３の開口を介した前記光束を受光した際の前記受光手段の出力に対するゲインを、前記第１の開口を介した前記光束を受光した際の前記受光手段の出力に対するゲインよりも高いゲインに設定する増幅手段を備える
ことを特徴とする撮像装置。
【請求項８】
請求項３から請求項７の何れか１項に記載の撮像装置において、
前記光学系の焦点調節を行う焦点調節手段を備え、
前記焦点調節手段は、前記焦点調節状態が所定の状態である場合に、前記像のコントラストに関する値に基づいて前記光学系の焦点調節を行う
ことを特徴とする撮像装置。
【発明の詳細な説明】
【技術分野】
【０００１】
本発明は、撮像装置に関する。
【背景技術】
【０００２】
従来より、撮影レンズを介した被写体光の光路を、撮像素子と焦点検出装置とに選択的に切り換えるカメラで、撮像素子によって動画像を撮影中に、間欠的に光路を焦点検出装置に切り換えて焦点検出を行うものが知られている（例えば、特許文献１参照）。
【特許文献１】特開２００８−７０４５４号公報
【発明の開示】
【発明が解決しようとする課題】
【０００３】
しかし、上述した特許文献１の発明では、光路を切り換えることにより、撮影した動画像にコマの欠落が発生してしまう場合がある。
【０００４】
本発明は、コマの欠落を発生させることなく焦点検出を行うことを目的とする。
【課題を解決するための手段】
【０００５】
本発明の撮像装置は、光学系を介した光束の光路中に、互いに異なる第１の開口、第２の開口および第３の開口を選択的に形成可能な切り換え手段と、前記切り換え手段によって繰り返し前記第１の開口を形成する時間の間隔において、前記第２の開口または前記第３の開口を形成するとともに、繰り返し生じる前記時間の間隔において、前記第２の開口と前記第３の開口とを交互に形成する制御手段と、前記切り換え手段によって形成された前記第１の開口から前記第３の開口の何れかを介した前記光束を受光する受光手段と、前記第１の開口を介した前記光束を受光した際の前記受光手段の出力に基づいて、画像情報を得る撮像手段と、前記第２の開口を介した前記光束を受光した際の前記受光手段の出力と、前記第３の開口を介した前記光束を受光した際の前記受光手段の出力とに基づいて、前記光学系の焦点調節状態を検出する焦点検出手段とを備える。
【発明の効果】
【０００６】
本発明によれば、コマの欠落を発生させることなく焦点検出を行うことができる。
【発明を実施するための最良の形態】
【０００７】
＜第１実施形態＞
以下、図面を用いて本発明の第１実施形態について説明する。
【０００８】
図１は第１実施形態の電子カメラ１の構成を示す図である。電子カメラ１は、図１に示すように、撮影レンズ部１１、瞳切り換え部１２、撮像部１３、表示部１４、制御部１５の各部を備える。
【０００９】
撮影レンズ部１１は、複数のレンズ群からなる撮影レンズ、撮影レンズを駆動する駆動部などを備える。瞳切り換え部１２の詳細は後述する。撮像部１３は、撮像素子を備え、撮影レンズ部１１を介した被写体像を撮像する。表示部１４は、表示素子を備え、電子カメラ１により生成した画像やメニュー画面などを表示する。制御部１５は、各部を制御するためのプログラムを予め記憶し、電子カメラ１の各部を統括的に制御する。また、制御部１５は、撮像部１３により生成したデータに基づいて、撮影レンズ部１１の焦点調節状態を検出し、撮影レンズ部１１の駆動部を制御して合焦駆動を行う。
【００１０】
図２は、瞳切り換え部１２を、撮影レンズ部１１の光軸方向から見た図である。瞳切り換え部１２は、撮影レンズ部１１の射出瞳の近傍に配置され、図２に示すように、軸Ａを中心に回転可能な円形の遮光板１２Ａを備える。この遮光板１２Ａは、４つの開口部（１２ａ〜１２ｄ）を有する。大きい方の開口部１２ａまたは１２ｃが撮影レンズ部１１の光軸上に配置された状態において、撮像部１３は画像データを生成する。一方、小さい方の開口部１２ｂまたは１２ｄが撮影レンズ部１１の光軸上に配置された状態において、撮像部１３は位相差ＡＦ用データを生成する。すなわち、遮光板１２Ａをある方向に９０度ずつ回転させると、画像データと位相差ＡＦ用データとを交互に生成することができる。
【００１１】
なお、小さい方の開口部１２ｂおよび１２ｄは、撮影レンズ部１１の光軸に垂直な面内において、重心位置が互いに異なる一対の開口である。また、遮光板１２Ａの回転動作は、制御部１５により制御される。また、瞳切り換え部１２の構成は、撮影レンズ部１１からの光束に対して、上述した画像データを生成するための開口と、位相差ＡＦ用データを生成するための開口とを形成可能であればどのような構成でも良く、この例に限定されない。例えば、撮影レンズ部１１の光軸上に遮光板を出し入れ可能な構成を備えた瞳切り換え部であっても良い。
【００１２】
以上説明した構成の電子カメラ１における撮影時の動作を、図３に示すフローチャートに基づいて説明する。なお、以下では、動画撮影や高速連写撮影を行う場合を例に挙げて説明する。また、撮影開始指示は、不図示の操作部を介したユーザ操作により行われる。
【００１３】
ステップＳ１において、制御部１５は、制御部１５内のフラグ＝０とし、フラグを初期化する。
【００１４】
ステップＳ２において、制御部１５は、瞳切り換え部１２を制御し、開口部１２ａまたは開口部１２ｃを撮影レンズ部１１の光軸上に配置することにより瞳を切り換える。
【００１５】
ステップＳ３において、制御部１５は、撮像部１３を制御して、被写体像を撮像する。なお、この撮像は、記録および表示用の画像データを生成するための撮像である。制御部１５は、撮像部１３の撮像素子により蓄積動作を行う。また、ステップＳ３における撮像は、例えば、一般的な動画撮影の場合、３０Ｈｚ程度の周期で行われる。また、高速連写撮影の場合は、ユーザ操作や制御部１５による自動選択により選択された時間間隔でステップＳ３における撮像が繰り返し行われる。
【００１６】
ステップＳ４において、制御部１５は、撮像部１３から画像データを読み出す。
【００１７】
ステップＳ５において、制御部１５は、ステップＳ４で読み出した画像データを不図示の記録部に記録するとともに、読み出した画像データに基づく画像を表示部１４に表示する。
【００１８】
ステップＳ６において、制御部１５は、フラグ＝１であるか否かを判定する。制御部１５は、フラグ＝１であると判定した場合にはステップＳ７に進み、フラグ＝１でないと判定した場合には後述するステップＳ８に進む。
【００１９】
ステップＳ７において、制御部１５は、瞳切り換え部１２を制御し、開口部１２ｄを撮影レンズ部１１の光軸上に配置することにより瞳を切り換える。
【００２０】
ステップＳ８において、制御部１５は、瞳切り換え部１２を制御し、開口部１２ｂを撮影レンズ部１１の光軸上に配置することにより瞳を切り換える。
【００２１】
ステップＳ９において、制御部１５は、撮像部１３を制御して、被写体像を撮像する。なお、この撮像は、位相差ＡＦ用データを生成するための撮像である。制御部１５は、撮像部１３の撮像素子により蓄積動作を行う。
【００２２】
ステップＳ１０において、制御部１５は、撮像部１３から位相差ＡＦ用データを読み出す。なお、制御部１５は、読み出した位相差ＡＦ用データを制御部１５内の不図示のメモリに一時記憶しておく。
【００２３】
ステップＳ１１において、制御部１５は、フラグ＝０であるか否かを判定する。制御部１５は、フラグ＝０であると判定した場合には後述するステップＳ１３に進み、フラグ＝０でないと判定した場合にはステップＳ１２に進む。なお、フラグ＝０である場合とは、ステップＳ１で説明したフラグの初期化直後の状態、すなわち、位相差ＡＦ用データが片方の瞳の分しかない状態である。そのため、後述するステップＳ１２における位相差ＡＦを行うことができないため、制御部１５は、フラグ＝０である場合には、後述するステップＳ１２をスキップする。
【００２４】
ステップＳ１２において、制御部１５は、ステップＳ１０で読み出した位相差ＡＦ用データに基づいて、位相差ＡＦを行う。
【００２５】
制御部１５は、ステップＳ１０で読み出した位相差ＡＦ用データが、遮光板１２Ａの開口部１２ｂを撮影レンズ部１１の光軸上に配置した際に生成した位相差ＡＦ用データである場合には、ステップＳ１０で読み出した位相差ＡＦ用データと、前回ステップＳ１０において読み出した位相差ＡＦ用データ（すなわち、遮光板１２Ａの開口部１２ｄを撮影レンズ部１１の光軸上に配置した際に生成した位相差ＡＦ用データ）とに基づいて、公知技術と同様に撮影レンズ部１１の焦点調節状態を検出する。そして、検出結果のデフォーカス量が所定の値よりも大きい場合には、制御部１５は、そのデフォーカス量に基づいて、撮影レンズ部１１の駆動部を制御して合焦駆動を行う。また、検出結果のデフォーカス量が所定の値よりも小さい場合には、制御部１５は、位相差ＡＦによる合焦駆動を行わずにステップＳ１３に進む。
【００２６】
一方、制御部１５は、ステップＳ１０で読み出した位相差ＡＦ用データが、遮光板１２Ａの開口部１２ｄを撮影レンズ部１１の光軸上に配置した際に生成した位相差ＡＦ用データである場合には、ステップＳ１０で読み出した位相差ＡＦ用データと、前回ステップＳ１０において読み出した位相差ＡＦ用データ（すなわち、遮光板１２Ａの開口部１２ｂを撮影レンズ部１１の光軸上に配置した際に生成した位相差ＡＦ用データ）とに基づいて、同様に撮影レンズ部１１の焦点調節状態を検出する。以降の処理は上記の場合と同様である。
【００２７】
ステップＳ１３において、制御部１５は、フラグ＝１であるか否かを判定する。制御部１５は、フラグ＝１であると判定した場合にはステップＳ１４に進み、フラグ＝１でないと判定した場合には後述するステップＳ１５に進む。
【００２８】
ステップＳ１４において、制御部１５は、フラグ＝２に設定する。
【００２９】
ステップＳ１５において、制御部１５は、フラグ＝１に設定する。
【００３０】
ステップＳ１６において、制御部１５は、撮影終了が指示されたか否かを判定する。制御部１５は、撮影終了が指示されたと判定した場合には一連の処理を終了し、撮影終了が指示されていないと判定した場合にはステップＳ２に戻り、ステップＳ２からの処理を再び行う。
【００３１】
以上説明したように、第１実施形態によれば、光学系を介した光束の光路中に、互いに異なる第１の開口、第２の開口および第３の開口を選択的に形成可能な切り換え手段と、切り換え手段によって繰り返し第１の開口を形成する時間の間隔において、第２の開口または第３の開口を形成するとともに、繰り返し生じる時間の間隔において、第２の開口と第３の開口とを交互に形成する制御手段と、切り換え手段によって形成された第１の開口から第３の開口の何れかを介した光束を受光する受光手段と、第１の開口を介した光束を受光した際の受光手段の出力に基づいて、画像情報を得る撮像手段と、第２の開口を介した光束を受光した際の受光手段の出力と、第３の開口を介した光束を受光した際の受光手段の出力とに基づいて、光学系の焦点調節状態を検出する焦点検出手段とを備える。したがって、コマの欠落を発生させることなく焦点検出を行うことができる。特に、第１実施形態によれば、画像データを生成する時間の間隔において、位相差ＡＦ用データを生成するとともに、繰り返し生じる画像データ生成の時間の間隔において、位相差ＡＦ用データを片方の瞳ずつ交互に生成する。そのため、急にピントがずれた場合でも、素早く焦点調節状態を検出することができる。
【００３２】
＜第２実施形態＞
以下、図面を用いて第２実施形態について説明する。なお、第２実施形態は、第１実施形態の変形例であるため、第１実施形態と異なる部分についてのみ説明する。
【００３３】
第２実施形態の電子カメラの構成は、第１実施形態の電子カメラ１と同様である。したがって、以下では第１実施形態と同様の符号を用いて説明する。
【００３４】
なお、第２実施形態の電子カメラ１において、制御部１５は、第１実施形態で説明した位相差ＡＦに加えて、画像データのコントラストに基づくコントラストＡＦも行う。
【００３５】
図４のフローチャートは第２実施形態の電子カメラ１における撮影時の動作を示すフローチャートである。
【００３６】
ステップＳ１０１からステップＳ１０５において、制御部１５は、第１実施形態のステップＳ１からステップＳ５と同様の処理を行う。
【００３７】
ステップＳ１０６において、制御部１５は、コントラストＡＦを行うか否かを判定する。制御部１５は、コントラストＡＦを行うと判定した場合にはステップＳ１０７に進み、コントラストＡＦを行わないと判定した場合には後述するステップＳ１０８に進む。
【００３８】
制御部１５は、ステップＳ１０１で説明したフラグの初期化直後の状態、すなわち、１回目のステップＳ１０６においては、コントラストＡＦを行わないと判定し、ステップＳ１０８に進む。また、制御部１５は、２回目以降のステップＳ１０６においては、後述するＳ１１４で求めるデフォーカス量に基づいて、コントラストＡＦを行うか否かを判定する。制御部１５は、デフォーカス量が所定の値よりも大きい場合には、コントラストＡＦに適した焦点調節状態に達していないため、コントラストＡＦを行わないと判定する。一方、デフォーカス量が所定の値よりも小さい場合には、制御部１５は、コントラストＡＦを行うと判定する。
【００３９】
ステップＳ１０７において、制御部１５は、ステップＳ１０４で読み出した画像データのコントラストに基づき、公知技術と同様に撮影レンズ部１１の焦点調節状態を検出する。そして、検出結果に基づいて、撮影レンズ部１１の駆動部を制御して合焦駆動を行う。
【００４０】
ステップＳ１０８からステップＳ１１８において、制御部１５は、第１実施形態のステップＳ６からステップＳ１６と同様の処理を行う。
【００４１】
以上説明したように、第２実施形態によれば、第１の開口を介した光束を受光した際の受光手段の出力に基づいて、光学系による像のコントラストに関する値を検出する。したがって、位相差ＡＦとコントラストＡＦとの両方を行うハイブリット焦点検出においても、第１実施形態と同様の効果を得ることができる。
【００４２】
なお、従来のハイブリット焦点検出では、２種類のＡＦを時間的に切り換えて行っていた。そのため、例えば、コントラストＡＦ動作中に急に被写体が光軸方向に動いた場合、コントラストのピーク位置が不明となり、全域スキャンし直すか、ウォブリング（現在位置からレンズを少し前後に振ってコントラストを検出してズレ方向を推測する）を行う必要があった。しかし、全域スキャンには時間がかかり、ウォブリングは精度に欠けるという問題があった。一方、第２実施形態によれば、コントラストＡＦ動作中に被写体が光軸方向に動いても、その向きを位相差ＡＦにより瞬時に把握して対処することができる。
【００４３】
また、従来のハイブリット焦点検出において、コントラストのピーク位置が不明となった時点で位相差ＡＦに切り換えることも可能であったが、動画撮影や高速連写撮影時においては、これら一連の動作を画像データの撮像のフレーム間に行うことは時間的に困難であった。一方、第２実施形態によれば、画像データ（コントラストＡＦにも用いる）を生成する時間の間隔において、位相差ＡＦ用データを生成するとともに、繰り返し生じる画像データ生成の時間の間隔において、位相差ＡＦ用データを片方の瞳ずつ交互に生成するため、上述した一連の動作を画像データの撮像のフレーム間に行うことが可能である。
【００４４】
また、第２実施形態によれば、第２の開口を介した光束を受光した際の受光手段の出力と、第３の開口を介した光束を受光した際の受光手段の出力とに基づいて検出した焦点調節状態が所定の状態である場合に、像のコントラストに関する値に基づいて光学系の焦点調節を行う。したがって、被写体の状況に応じて、位相差ＡＦとコントラストＡＦとを最適に切り換えることができる。
【００４５】
なお、第２実施形態において、位相差ＡＦを行う際（図４ステップＳ１１４）に、直前のコントラストＡＦ（図４ステップＳ１０７）の結果に基づいて、位相差ＡＦを行うか否かを判定する構成としても良い。
【００４６】
＜第３実施形態＞
以下、図面を用いて第３実施形態について説明する。なお、第３実施形態は、第２実施形態の変形例であるため、第２実施形態と異なる部分についてのみ説明する。
【００４７】
第３実施形態の電子カメラの構成は、第１実施形態および第２実施形態の電子カメラ１と同様である。したがって、以下では第１実施形態および第２実施形態と同様の符号を用いて説明する。
【００４８】
なお、第３実施形態の電子カメラ１において、制御部１５は、第２実施形態と同様に、位相差ＡＦとコントラストＡＦとを行う。第２実施形態では、各動作を順次行う例を示したが、処理時間短縮の観点によれば、いくつかの動作を並列に行うのが好ましい。
【００４９】
図５のフローチャートは第３実施形態の電子カメラ１における撮影時の動作を示すフローチャートである。また、図６は、図５のフローチャート実行時の各動作のタイミングを示すタイミングチャートである。ただし、図６は、撮影開始後、少なくとも１回はフラグ＝２に設定された後の各動作のタイミングを示す。また、図６中の各動作のステップ番号は、図５のフローチャートのステップ番号に対応する。また、図６中の斜線で示した部分は位相差ＡＦに関する動作を示し、それ以外の部分は、記録および表示用の画像データおよびコントラストＡＦに関する動作を示す。また、図６中のｔは、動画撮影や高速連写撮影の周期を示す。
【００５０】
ステップＳ２０１において、制御部１５は、第２実施形態のステップＳ１０１と同様に、フラグを初期化し、ステップＳ２０２において、制御部１５は、第２実施形態のステップＳ１０２と同様に、瞳切り換え部１２を制御し、開口部１２ａまたは開口部１２ｃを撮影レンズ部１１の光軸上に配置することにより瞳を切り換える。
【００５１】
ステップＳ２０３において、制御部１５は、フラグ＝０であるか否かを判定する。制御部１５は、フラグ＝０であると判定した場合には後述するステップＳ２０５に進み、フラグ＝０でないと判定した場合にはステップＳ２０４に進む。
【００５２】
ステップＳ２０４において、制御部１５は、第２実施形態のステップＳ１１４と同様に、位相差ＡＦを行う。
【００５３】
ステップＳ２０５において、制御部１５は、第２実施形態のステップＳ１０３と同様に、記録および表示用の画像データ（コントラストＡＦにも用いる）を生成するために、被写体像を撮像し、ステップＳ２０６において、制御部１５は、第２実施形態のステップＳ１０４と同様に、撮像部１３から画像データを読み出す。
【００５４】
ステップＳ２０６で開始した画像データの読み出し中に、ステップＳ２０７において、制御部１５は、フラグ＝１であるか否かを判定する。制御部１５は、フラグ＝１であると判定した場合にはステップＳ２０８に進み、フラグ＝１でないと判定した場合には後述するステップＳ２１０に進む。
【００５５】
ステップＳ２０８において、制御部１５は、第２実施形態のステップＳ１０９と同様に、瞳切り換え部１２を制御し、開口部１２ｂを撮影レンズ部１１の光軸上に配置することにより瞳を切り換え、ステップＳ２０９において、制御部１５は、フラグ＝２に設定する。
【００５６】
ステップＳ２１０において、制御部１５は、第２実施形態のステップＳ１１０と同様に、瞳切り換え部１２を制御し、開口部１２ｄを撮影レンズ部１１の光軸上に配置することにより瞳を切り換え、ステップＳ２１１において、制御部１５は、フラグ＝１に設定する。
【００５７】
ステップＳ２０６で開始した画像データの読み出しが終了すると、ステップＳ２１２において、制御部１５は、第２実施形態のステップＳ１１１と同様に、位相差ＡＦ用データを生成するために、被写体像を撮像する。
【００５８】
ステップＳ２１２で開始した蓄積動作中に、ステップＳ２１３において、制御部１５は、第２実施形態のステップＳ１０５と同様に、ステップＳ２０６で読み出した画像データを不図示の記録部に記録するとともに、読み出した画像データに基づく画像を表示部１４に表示する。また、ステップＳ２１２で開始した蓄積動作中に、ステップＳ２１４において、制御部１５は、第２実施形態のステップＳ１０６と同様に、コントラストＡＦを行うか否かを判定し、コントラストＡＦを行うと判定した場合（ステップＳ２１４ＹＥＳ）には、ステップＳ２１５において、ステップＳ２０６で読み出したデータを基に、第２実施形態のステップＳ１０７と同様に、コントラストＡＦを行う。
【００５９】
ステップＳ２１２で開始した蓄積動作が終了すると、ステップＳ２１６において、制御部１５は、第２実施形態のステップＳ１１２と同様に、撮像部１３から位相差ＡＦ用データを読み出す。
【００６０】
ステップＳ２１６で開始した位相差ＡＦ用データの読み出し中に、ステップＳ２１７において、制御部１５は、第２実施形態のステップＳ２１７と同様に、撮影終了が指示されたか否かを判定し、撮影終了が指示されたと判定した場合（ステップＳ２１７ＹＥＳ）には、一連の処理を終了する。一方、撮影終了が指示されていないと判定すると、制御部１５は、ステップＳ２０２に戻り、ステップＳ２０２からの処理を再び行う。
【００６１】
以上説明したように、第３実施形態によれば、第２の開口または第３の開口を介して光束を受光する間に、像のコントラストに関する値を演算する。すなわち、位相差ＡＦ用データの蓄積動作中に、コントラストＡＦの演算を行う。したがって、第２実施形態で説明した効果に加えて、複数の動作を並列に行うことにより、処理時間を短縮することができる。
【００６２】
また、第３実施形態によれば、第１の開口を介して光束を受光する間に、焦点調節状態を演算する。すなわち、画像データ（コントラストＡＦにも用いる）の蓄積動作中に、位相差ＡＦを行う。したがって、第２実施形態で説明した効果に加えて、複数の動作を並列に行うことにより、処理時間を短縮することができる。
【００６３】
なお、第３実施形態において、位相差ＡＦを行う際（図５ステップＳ２０４）に、直前のコントラストＡＦ（図５ステップＳ２１５）の結果に基づいて、位相差ＡＦを行うか否かを判定する構成としても良い。
【００６４】
また、上記各実施形態において、位相差ＡＦ用データは、画像データ（コントラストＡＦにも用いる）ほどの精度を必要としない。また、位相差ＡＦ用データは、片方の瞳を介して被写体像を撮像するため、光量が低下する。そこで、位相差ＡＦ用データを生成する際のゲインを、画像データを生成する際のゲインよりも高いゲインに設定する構成としても良い。このような構成とすることにより、光量の低下を補い、蓄積動作に要する時間を短縮することができる。
【００６５】
また、上記各実施形態において、位相差ＡＦ用データは、少なくとも焦点検出領域に相当するデータがあれば良く、必ずしも全面のデータが必要な訳ではない。そこで、撮像部１３の撮像素子面において、画像データ（コントラストＡＦにも用いる）を生成する際の撮像素子の範囲よりも狭い範囲の出力を、位相差ＡＦ用データとして取得する構成としても良い。図７の斜線部分は、画像データを生成する際よりも狭い範囲である焦点検出領域の例を示す。このような構成とすることにより、位相差ＡＦ用データの読み出しに要する時間を短縮することができる。
【００６６】
また、上記各実施形態では、動画撮影や高速連写撮影を行う場合を例に挙げて説明したが、構図確認などに用いられるいわゆるスルー画像を撮像する際にも、本発明を同様に適用することができる。
【００６７】
また、上記各実施形態で説明した電子カメラの構成は一例であり、本発明はこの例に限定されない。例えば、一眼レフタイプの電子カメラにも本発明を同様に適用することができる。一眼レフタイプの電子カメラにおいては、瞳切り換え部１２に相当する構成を、レンズ内、クイックリターンミラーの近傍、撮像素子の近傍など、どのような位置に配置しても良い。
【図面の簡単な説明】
【００６８】
【図１】第１実施形態の電子カメラ１の構成を示す図である。
【図２】瞳切り換え部１２を、撮影レンズ部１１の光軸方向から見た図である。
【図３】第１実施形態における撮影時の動作を示すフローチャートである。
【図４】第２実施形態における撮影時の動作を示すフローチャートである。
【図５】第３実施形態における撮影時の動作を示すフローチャートである。
【図６】図５のフローチャートを実行時の各動作のタイミングを示すタイミングチャートである。
【図７】焦点検出領域の例を示す図である。
【符号の説明】
【００６９】
１…電子カメラ，１１…撮影レンズ部，１２…瞳切り換え部，１３…撮像部，１４…表示部，１５…制御部，１２Ａ…遮光板，１２ａ〜１２ｄ…開口部
【図１】
2010019921.tif 000003
【図２】
2010019921.tif 000004
【図３】
2010019921.tif 000005
【図４】
2010019921.tif 000006
【図５】
2010019921.tif 000007
【図６】
2010019921.tif 000008
【図７】
2010019921.tif 000009